(57)【要約】【課題】印加電圧の周波数の切り替えにより複数の液晶層の配向をそれぞれ制御することができる表示媒体を提供すること。【解決手段】本発明の表示媒体は、液晶層２５０Ｂのバインダー２５１Ｂに、バインダー２５１Ｂの誘電率よりも低い誘電率を持つ中空粒子２５００が分散されて低誘電率化することにより、液晶層２５０Ｂのインピーダンスが増加する。これにより、中空粒子２５００が分散されていないときに比べて、液晶層２５０Ｂに印加される電圧Ｖｂの分圧比が増加し、電圧Ｖｂの電圧値は高くなり、積層液晶層３００に印加される電圧Ｖｂｇに対するしきい値ＶＢｐｆ、ＶＢｆｈは、中空粒子２５００が分散されていない状態に比べて低い電圧値となる。【選択図】図２
2010211128.tif 000002
【特許請求の範囲】
【請求項１】
外部から電圧が印加される一対の電極と、
第１のバインダーと、前記第１のバインダーに分散されたカプセルに内包された第１の液晶と、前記第１のバインダーに分散された粒子状の部材であって前記第１のバインダーよりも低誘電率の低誘電部材とを有し、印加される電圧が予め設定された第１の電圧値以上になると前記第１の液晶が特定の配向状態となる第１の液晶層と、
前記第１の液晶層に積層される第２の液晶層であって、第２のバインダーと、前記第２のバインダーに分散されたカプセルに内包された第２の液晶とを有し、印加される電圧が予め設定された第２の電圧値以上になると前記第２の液晶が特定の配向状態となる第２の液晶層と
を具備し、
積層された前記第１の液晶層および前記第２の液晶層は、前記電極に電圧が印加されると、前記第１の液晶層および前記第２の液晶層が分圧した電圧が各々に対して印加されるように、前記一対の電極間に設けられ、
前記電極への印加電圧が、予め設定された周波数、電圧値であるときには、前記第１の液晶層への印加電圧が前記第１の電圧値以上となるとともに、前記第２の液晶層への印加電圧が前記第２の電圧値未満となる
ことを特徴とする表示媒体。
【請求項２】
前記第１の液晶層および前記第２の液晶層に積層され、光が照射されると抵抗値が減少する感光層であって、前記電極に電圧が印加されると、前記第１の液晶層、前記第２の液晶層および前記感光層が分圧した電圧が各々に対して印加されるように、前記一対の電極間に設けられる感光層とをさらに具備し、
前記電極への印加電圧が、予め設定された周波数、電圧値であるときには、前記第１の液晶層への印加電圧は前記第１の電圧値未満となるとともに、前記第２の液晶層への印加電圧は前記第２の電圧値未満となり、前記感光層に光が照射されると、前記第１の液晶層への印加電圧が前記第１の電圧値以上となるとともに、前記第２の液晶層への印加電圧が前記第２の電圧値未満となる
ことを特徴とする請求項１に記載された表示媒体。
【請求項３】
前記予め設定された周波数における前記第１の液晶層のインピーダンスは、当該周波数における前記第２の液晶層のインピーダンスより大きい
ことを特徴とする請求項１または請求項２に記載の表示媒体。
【請求項４】
前記第１の液晶層および前記第２の液晶層は、前記特定の配向状態とは異なる配向状態であるときに、互いに異なる波長分布の光を反射する
ことを特徴とする請求項１乃至請求項３のいずれかに記載の表示媒体。
【請求項５】
前記低誘電部材は中空の粒子状の部材であって、当該中空部分の径は前記第１の液晶層および前記第２の液晶層において反射される波長より短い
ことを特徴とする請求項４に記載の表示媒体。
【請求項６】
前記第２の液晶層は、前記第２のバインダーに分散された部材であって前記第２のバインダーよりも高誘電率の高誘電部材を有する
ことを特徴とする請求項１乃至請求項５のいずれかに記載の表示媒体。
【発明の詳細な説明】
【技術分野】
【０００１】
本発明は、表示媒体に関する。
【背景技術】
【０００２】
光記録型表示媒体に光を照射することにより画像を記録する技術において、一対の電極間に複数の液晶層が積層された表示層を有し、各液晶層の配向状態が変化するしきい値電圧を異ならせることにより、カラー表示可能な表示媒体が開示されている（例えば、特許文献１）。
【先行技術文献】
【特許文献】
【０００３】
【特許文献１】特開２００４−１９８９４９号公報
【発明の概要】
【発明が解決しようとする課題】
【０００４】
本発明は、複数の液晶層におけるそれぞれの配向状態を変化させる電圧のしきい値の調整を容易に行うことを目的とする。
【課題を解決するための手段】
【０００５】
本発明の請求項１に係る表示媒体は、外部から電圧が印加される一対の電極と、第１のバインダーと、前記第１のバインダーに分散されたカプセルに内包された第１の液晶と、前記第１のバインダーに分散された粒子状の部材であって前記第１のバインダーよりも低誘電率の低誘電部材とを有し、印加される電圧が予め設定された第１の電圧値以上になると前記第１の液晶が特定の配向状態となる第１の液晶層と、前記第１の液晶層に積層される第２の液晶層であって、第２のバインダーと、前記第２のバインダーに分散されたカプセルに内包された第２の液晶とを有し、印加される電圧が予め設定された第２の電圧値以上になると前記第２の液晶が特定の配向状態となる第２の液晶層とを具備し、積層された前記第１の液晶層および前記第２の液晶層は、前記電極に電圧が印加されると、前記第１の液晶層および前記第２の液晶層が分圧した電圧が各々に対して印加されるように、前記一対の電極間に設けられ、前記電極への印加電圧が、予め設定された周波数、電圧値であるときには、前記第１の液晶層への印加電圧が前記第１の電圧値以上となるとともに、前記第２の液晶層への印加電圧が前記第２の電圧値未満となることを特徴とする。
【０００６】
本発明の請求項２に係る表示媒体は、請求項１の構成において、前記第１の液晶層および前記第２の液晶層に積層され、光が照射されると抵抗値が減少する感光層であって、前記電極に電圧が印加されると、前記第１の液晶層、前記第２の液晶層および前記感光層が分圧した電圧が各々に対して印加されるように、前記一対の電極間に設けられる感光層とをさらに具備し、前記電極への印加電圧が、予め設定された周波数、電圧値であるときには、前記第１の液晶層への印加電圧は前記第１の電圧値未満となるとともに、前記第２の液晶層への印加電圧は前記第２の電圧値未満となり、前記感光層に光が照射されると、前記第１の液晶層への印加電圧が前記第１の電圧値以上となるとともに、前記第２の液晶層への印加電圧が前記第２の電圧値未満となることを特徴とする。
【０００７】
本発明の請求項３に係る表示媒体は、請求項１または請求項２の構成において、前記予め設定された周波数における前記第１の液晶層のインピーダンスは、当該周波数における前記第２の液晶層のインピーダンスより大きいことを特徴とする。
【０００８】
本発明の請求項４に係る表示媒体は、請求項１乃至請求項３のいずれかの構成において、前記第１の液晶層および前記第２の液晶層は、前記特定の配向状態とは異なる配向状態であるときに、互いに異なる波長分布の光を反射することを特徴とする。
【０００９】
本発明の請求項５に係る表示媒体は、請求項４の構成において、前記低誘電部材は中空の粒子状の部材であって、当該中空部分の径は前記第１の液晶層および前記第２の液晶層において反射される波長より短いことを特徴とする。
【００１０】
本発明の請求項６に係る表示媒体は、請求項１乃至請求項５のいずれかの構成において、前記第２の液晶層は、前記第２のバインダーに分散された部材であって前記第２のバインダーよりも高誘電率の高誘電部材を有することを特徴とする。
【発明の効果】
【００１１】
本発明の請求項１に記載の発明によれば、第１のバインダー中に第１のバインダーよりも低誘電率の低誘電部材が分散されない場合に比べ、複数の液晶層におけるそれぞれの配向状態を変化させる電圧のしきい値の調整を容易に行うことができる。
本発明の請求項２に記載の発明によれば、光を照射して画像を記録することができる。
本発明の請求項３に記載の発明によれば、第１の液晶層と第２の液晶層とのインピーダンスの関係を定めない場合に比べ、複数の液晶層の作製を容易にすることができる。
本発明の請求項４に記載の発明によれば、カラーの画像を記録することができる。
本発明の請求項５に記載の発明によれば、第１のバインダー中に分散される低誘電部材の中空部分の径が、第１の液晶層および第２の液晶層において反射される波長より長い場合に比べ、表示品位を向上させることができる。
本発明の請求項６に記載の発明によれば、第２のバインダー中に第２のバインダーよりも高誘電率の高誘電部材が分散されない場合に比べ、複数の液晶層におけるそれぞれの配向状態を変化させる電圧のしきい値の調整を容易に行うことができる。
【図面の簡単な説明】
【００１２】
【図１】実施形態に係る記録装置の構成を示すブロック図である。
【図２】実施形態に係る電子ペーパの構成を示す図である。
【図３】積層液晶層の等価回路の一例を示す図である。
【図４】液晶層２５０Ｂ，２５０Ｇの反射率特性の一例を示す図である。
【図５】液晶層２５０Ｒの反射率特性の一例を示す図である。
【図６】液晶層２５０Ｂ、２５０Ｇの配向状態の変化を示す図である。
【発明を実施するための形態】
【００１３】
以下、本発明の一実施形態について説明する。
【００１４】
＜実施形態＞
図１は、本発明の実施形態に係る記録装置１００の構成を示すブロック図である。記録装置１００は、記録装置１００に保持された電子ペーパ２００に対して、画像情報に応じた画像を記録する装置である。記録装置１００は、制御部１１０、操作部１２０、光照射部１３０、電圧印加部１４０および情報取得部１５０を備える。
【００１５】
制御部１１０は、ＣＰＵ（Central Processing Unit）などの演算装置やメモリなどの記憶手段を備え、記録装置１００の各部の動作を制御する。操作部１２０は、利用者が記録装置１００に対して選択、確認、取り消しなどの指示を行うための操作を行うタッチパネル、キーボードなどの操作手段であって、操作内容を示す情報を制御部１１０に出力する。
【００１６】
光照射部１３０は、電子ペーパ２００に対して画像を記録するときに、光を照射する光源を有している。この光源は半導体レーザなどであって、光源から発生した光を、回転するポリゴンミラーなどの反射物に反射させて、電子ペーパ２００の画像を表示する単位である画素に対してスポット上の光を照射する。光照射部１３０は、制御部１１０の制御により、スポット状の光が電子ペーパ２００を走査して照射するように制御される。なお、この光源は、複数のＬＥＤ（Light Emitting Diode）が線状に配置され、画像を記録する解像度に応じた範囲に各ＬＥＤの光を収束するレンズを備えたＬＥＤアレイであってもよいし、面状の光源であってもよい。この例においては、光照射部１３０から照射される記録光は、赤色または青色に対応する波長の光を用い、制御部１１０の制御によって発光させる色が切り替えられる。
【００１７】
電圧印加部１４０は、電極を有し、制御部１１０の制御により、電極を介して電子ペーパ２００に記録電圧を印加する。記録装置１００に電子ペーパ２００が保持されているときに、電圧印加部１４０が記録電圧を発生させると、その記録電圧は、後述する透明電極２２０、２６０間、または後述する透明電極２２２、２６２間に印加される。いずれの電極間に記録電圧を印加するかは、制御部１１０の制御によって決定される。また、電圧印加部１４０からの印加電圧は、制御部１１０により予め設定された態様で周波数、電圧値が変化するように制御され、この変化は光照射部１３０における記録光の照射と同期するように制御されている。
【００１８】
情報取得部１５０は、図示しない記憶手段、外部装置から、制御プログラム、画像を示す画像情報など各種情報を取得する。この例においては、有線、無線などによる通信手段を用いて外部装置からの情報取得の機能を実現している。なお、外部装置より、各種情報を取得する手段は、通信手段に限らず、ＵＳＢメモリ、メモリカードなどの半導体メモリ、ＣＤ、ＤＶＤなどの光ディスクなどから取得するインターフェースであってもよい。以上が記録装置１００の構成についての説明である。
【００１９】
図２は、本発明の実施形態に係る光記録型の表示媒体である電子ペーパ２００の構成を示す図である。電子ペーパ２００は、予め設定された記録電圧が印加されているときに照射された記録光に応じて記録される画像を表示する光記録型表示媒体であって、フィルム基板２７０、２１２に挟まれた第１表示層４００、およびフィルム基板２１２、２１０に挟まれた第２表示層４２０を有する。第１表示層４００は、透明電極２２０、２６０、光導電層２３０、積層液晶層３００（液晶層２５０Ｂ、２５０Ｇ）を有する。第２表示層４２０は、透明電極２２２、２６２、光導電層２３２、液晶層２５０Ｒを有する。
【００２０】
フィルム基板２１０、２１２、２７０は、電子ペーパ２００の表面の保護、形状の支持などのために設けられた層である。例えば、ＰＥＴ（ポリエチレンテレフタレート）である。フィルム基板２７０は、記録された画像を使用者が観察する側に設けられている。
【００２１】
透明電極２２０、２２２、２６０、２６２、は、例えば、ＩＴＯ（酸化インジウム錫）を有する層である。透明電極２２０、２２２、２６０、２６２、のそれぞれは、図示しない電極に接続されている。この電極は、記録装置１００に電子ペーパ２００が保持されているときには、電圧印加部１４０の電極と接続される。その状態で電圧印加部１４０から電極を介して電圧が印加されると、上述したように、透明電極２２０、２６０間、または透明電極２２２、２６２間に電圧が印加される。
【００２２】
光導電層２３０、２３２は、照射される記録光が照射されると、光電荷が発生して導電率を異ならせる導電体を有する感光層であって、例えば、有機光導電体を用いる。光導電層２３０は、この例においては、赤色を透過し、青色と緑色の電荷発生物質を有することより青色および緑色の光を吸収する構成となっている。一方、光導電層２３２は、青色と緑色を透過し、赤色の電荷発生物質を有することより赤色の光を吸収する構成となっている。
【００２３】
光導電層２３０、２３２は、記録光を吸収すると、吸収した部分の抵抗値が低下する。したがって、電圧印加部１４０によって透明電極２２０、２６０間に電圧が印加されているときには、その電圧は光導電層２３０と積層液晶層３００とによって分圧されるが、光導電層２３０の抵抗値が低下すると、積層液晶層３００の分圧比が増加し、光導電層２３０の分圧比が低下する。また、電圧印加部１４０によって透明電極２２２、２６２間に電圧が印加されているときに、光導電層２３２と液晶層２５０Ｒとによって分圧されるが、光導電層２３２の抵抗値が低下すると、液晶層２５０Ｒの分圧比が増加し、光導電層２３２の分圧比が低下する。
【００２４】
液晶層２５０Ｂ、２５０Ｇ、２５０Ｒは、印加される電圧に応じて配向が変化することにより光の反射状態を異ならせる素子を含み、ゼラチン、ＰＶＡ（polyvinyl alcohol）などの水溶性高分子を用いたバインダー樹脂（以下、バインダー２５１Ｂ、２５１Ｇ、２５１Ｒという）中にマイクロカプセルなどのカプセルに内包されたコレステリック液晶素子（以下、液晶２５２Ｂ、２５２Ｇ、２５２Ｒという）を分散させたものである。液晶２５２Ｂ、２５２Ｇ、２５２Ｒは、電圧が印加されていないときの配向状態として、プレーナ配向状態とフォーカルコニック配向状態とになりうる。液晶２５２Ｂ、２５２Ｇ、２５２Ｒは、プレーナ配向状態の場合は光を反射して、あらかじめ決められた色を呈し、フォーカルコニック配向状態にある場合は光を透過する。この例においては、液晶層２５０Ｂ、２５０Ｇ、２５０Ｒは、それぞれ青色、緑色、赤色を反射する材料を調整した液晶２５２Ｂ、２５２Ｇ、２５２Ｒを有し、プレーナ配向状態である場合には、入射光に対して、それぞれ青色、緑色、赤色と異なる波長分布の光を選択反射する。これらの配向状態の制御については後述する。
【００２５】
液晶層２５０Ｂのバインダー２５１Ｂには、バインダー２５１Ｂの誘電率よりも低い誘電率を持つ中空粒子２５００が分散されている。この中空粒子２５００は、この例においては、水系重合により生成されたポリマーにより内部に空間を有するように構成された粒子状の部材である。水系重合により生成されているため、水溶性高分子を用いたバインダー２５１Ｂに分散する際には凝集しにくいものとなっている。なお、バインダー２５１Ｂに分散される部材は中空の粒子状の部材である中空粒子２５００でなくてもよく、バインダー２５１Ｂより誘電率が低いものであれば、どのような部材であってもよい。
【００２６】
この中空粒子２５００の径（粒子が球状でない場合は最長部分となる径）は、液晶層２５０Ｂ、２５０Ｇ、２５０Ｒにおいて反射される光の波長より短いことが望ましく、さらには可視光の波長より短いことが望ましい。このようにすると、中空粒子２５００における可視光の屈折、回折などの散乱現象が低減される。なお、中空粒子２５００を構成するポリマーの屈折率とバインダー２５１Ｂの屈折率との関係（例えば、屈折率の差が光の散乱に影響を与えない関係）により、中空粒子２５００の中空部分の径（中空部分が球状でない場合は最長部分となる径）が上記条件を満たすものとしてもよい。
【００２７】
図３は、積層液晶層３００の等価回路の一例を示す図である。積層液晶層３００について、図３を用いて説明する。図に示す電圧Ｖｂｇは、電圧印加部１４０から透明電極２２０、２６０に記録電圧が印加されたときに、第１表示層４００に対して分圧される電圧である。また、電圧Ｖｂ、Ｖｇは、液晶層２５０Ｂ、２５０Ｇが電圧Ｖｂｇを分圧したときに、液晶層２５０Ｂ、２５０Ｇの各々に対して印加される電圧である。
【００２８】
液晶層２５０Ｂの等価回路は、抵抗ＲｂとコンデンサＣｂが並列に接続され、液晶層２５０Ｇの等価回路は、抵抗ＲｇとコンデンサＣｇが並列に接続されている。
【００２９】
上述したように、液晶層２５０Ｂのバインダー２５１Ｂには、バインダー２５１Ｂの誘電率よりも低い誘電率を持つ中空粒子２５００が分散されているため、中空粒子２５００が分散されていない状態に比べて低誘電化される。したがって、コンデンサＣｂの静電容量は、中空粒子２５００が分散されていない状態よりも低い値となる。
【００３０】
これにより電圧印加部１４０から透明電極２２０、２６０を介して印加される記録電圧の周波数が予め設定された周波数であるときには、液晶層２５０Ｂのインピーダンスは、中空粒子２５００が分散されていないときに比べて大きくなる。したがって、電圧Ｖｂｇが変化していなくても、中空粒子２５００が分散されていないときに比べて、液晶層２５０Ｂに印加される電圧Ｖｂの分圧比が増加し、電圧Ｖｂの電圧値は高くなる。
【００３１】
また、液晶層２５０Ｂ、２５０Ｇ、２５０Ｒは、各々に印加される電圧（例えば、液晶層２５０Ｂであれば電圧Ｖｂ）の電圧値が予め設定された第１しきい値以上になると、元の配向状態（プレーナ配向状態またはフォーカルコニック配向状態）からフォーカルコニック配向状態となり、さらに、第２しきい値以上になると、ホメオトロピック配向状態となる。この状態で電圧Ｖｂへの印加が停止されるとプレーナ配向状態となるように構成されている。
【００３２】
次に、図４、図５を用いて、第１表示層４００と第２表示層４２０の各画素における液晶配向状態の制御の一例について説明する。
【００３３】
図４は、液晶層２５０Ｂ、２５０Ｇの反射率特性の一例を示す図である。図の縦軸は、液晶層２５０Ｂ、２５０Ｇの反射率であり、横軸は、積層液晶層３００、すなわち液晶層２５０Ｂ、２５０Ｇ全体に印加される電圧Ｖｂｇ（＝電圧Ｖｂ＋電圧Ｖｇ）を示している。図５は、液晶層２５０Ｒの反射率特性を示す図である。図の縦軸は、液晶層２５０Ｒの反射率であり、横軸は、液晶層２５０Ｒに印加される電圧を示している。
【００３４】
図４に示すように、積層液晶層３００に印加される電圧Ｖｂｇの電圧値が増加し、しきい値ＶＢｐｆを超えると、電圧Ｖｂが液晶層２５０Ｂの第１しきい値以上となり、液晶層２５０Ｂはフォーカルコニック配向状態となる。そして、電圧Ｖｂｇの電圧値がしきい値ＶＧｐｆを超えると、電圧Ｖｇが液晶層２５０Ｇの第１しきい値以上となり液晶層２５０Ｇもフォーカルコニック配向状態となる。さらに電圧Ｖｂｇの電圧値が増加し、しきい値ＶＢｆｈを超えると、電圧Ｖｂが液晶層２５０Ｂの第２しきい値以上となり、液晶層２５０Ｂはホメオトロピック配向状態となる。そして、電圧Ｖｂｇの電圧値がしきい値ＶＧｆｈを超えると、電圧Ｖｇが液晶層２５０Ｇの第２しきい値以上となり液晶層２５０Ｇもホメオトロピック配向状態となる。
【００３５】
上述したように、液晶層２５０Ｂに印加される電圧Ｖｂは、液晶層２５０Ｂのバインダー２５１Ｂに中空粒子２５００が分散されていない状態に比べて、分圧比が大きくなる。したがって、電圧Ｖｂｇに対するしきい値ＶＢｐｆ、ＶＢｆｈは、中空粒子２５００が分散されていない状態に比べて低い電圧値となる。
【００３６】
このように電圧Ｖｂｇに対するしきい値ＶＢｐｆ、ＶＢｆｈがより低い電圧値となることによって、しきい値ＶＢｐｆはしきい値ＶＧｐｆより小さく、しきい値ＶＢｆｈはしきい値ＶＧｆｈより小さくなるように、液晶層２５０Ｂ、２５０Ｇの第１しきい値、第２しきい値、中空粒子２５００が分散される量、印加電圧の周波数が設定されている。ここで、液晶層２５０Ｂの第１、第２のしきい値が液晶層２５０Ｇの第１、第２しきい値以下である場合には、液晶層２５０Ｂのインピーダンスが液晶層２５０Ｇのインピーダンスより大きくなるようにすればよい。
【００３７】
なお、中空粒子２５００が分散されていない状態で、しきい値ＶＢｐｆがしきい値ＶＧｐｆより小さく、しきい値ＶＢｆｈがしきい値ＶＧｆｈより小さくなる場合に、バインダー２５１Ｂに中空粒子２５００を分散させることが望ましく、この場合には中空粒子２５００が分散されたことにより、しきい値ＶＢｐｆとしきい値ＶＧｐｆとの差、およびしきい値ＶＢｆｈとしきい値ＶＧｆｈとの差のそれぞれが、より大きいものとなる。
【００３８】
液晶層２５０Ｒについては、図５に示すように、液晶層２５０Ｒに印加される電圧の電圧値が増加し、しきい値ＶＲｐｆを超えると、液晶層２５０Ｒはフォーカルコニック配向状態となり、さらに電圧が増加し、しきい値ＶＲｆｈを超えると、液晶層２５０Ｒはホメオトロピック配向状態となる。そして、ホメオトロピック配向状態において、電圧の印加を停止すると、ホメオトロピック配向状態は、プレーナ配向状態に変化し、プレーナ配向状態として維持され安定する。以上が、電子ペーパ２００の構成についての説明である。
【００３９】
次に、記録装置１００における電子ペーパ２００への画像の記録動作について、図４、図５、図６を用いて説明する。記録装置１００は、電子ペーパ２００を保持し、操作部１２０の操作などによって画像の記録指示がされると、制御部１１０は、カラーの画像を示す画像情報を取得し、電子ペーパ２００への画像の記録処理を開始する。
【００４０】
まず、図５を用いて赤色成分の画像の記録について説明する。第２表示層４２０に対する制御を行って、画像の赤色成分の記録が行われる。制御部１１０は、電圧印加部１４０を制御して、透明電極２２２、２６２間に記録電圧Ｖ３を印加させると、光導電層２３２と液晶層２５０Ｒとによって分圧され、液晶層２５０Ｒには、電圧値Ｖ３Ｌの電圧が印加される。
【００４１】
そして、制御部１１０は、画像情報の赤色成分の情報に応じて、光照射部１３０から赤色の記録光を照射させると、光導電層２３２の抵抗が低下し、液晶層２５０Ｒによって分圧される電圧値が増加する。ここで、記録光の照射は、フィルム基板２１０側から行われる。なお、フィルム基板２７０側から記録光を照射するように光照射部１３０を構成してもよい。
【００４２】
これにより、液晶層２５０Ｒのうち、記録光が照射された領域については、印加される電圧が電圧値Ｖ３Ｈに増加する。そして、記録電圧Ｖ３の印加を停止すると、記録光が照射された部分の液晶層２５０Ｒがプレーナ配向状態となり、赤色を選択反射する状態となり、記録光が照射されなかった部分はフォーカルコニック配向状態となる。なお、画像の記録前にすでに記録されている画像を消去するなどのリセット処理を行ってもよい。
【００４３】
ここで、光導電層２３０は赤色の光を透過するから、フィルム基板２７０側から入射する外光のうち、赤色の光が液晶層２５０Ｒに到達し、液晶層２５０Ｒのプレーナ配向状態の部分において反射される赤色の光は、再びフィルム基板２７０から放射される。一方、液晶層２５０Ｒのフォーカルコニック配向状態の部分において透過する赤色の光は、光導電層２３２において吸収される。なお、光導電層２３２における赤色の光の吸収率が黒色を呈しない程度の低い吸収率である場合には、記録光の光導電層２３２への入射の妨げにならない層、例えば、フィルム基板２１０側から記録光が入射される構成である場合には、光導電層２３２と液晶層２５０Ｒとに挟まれる層に、赤色の光を吸収する光吸収層を設けてもよい。
【００４４】
次に、第１表示層４００に対する制御を行って、画像の緑色成分、青色成分の記録が行われる。以下の説明においては、プレーナ配向状態をＰとし、フォーカルコニック配向状態をＦとし、液晶層２５０Ｂと２５０Ｇとの配向状態の関係を例えば（Ｐ，Ｐ）のように示す。ここで、液晶層２５０Ｂ、２５０Ｇの配向状態の組み合わせは、（Ｐ，Ｐ）、（Ｐ，Ｆ）、（Ｆ，Ｐ）、（Ｆ，Ｆ）の４通りである。この４通りの液晶配向状態にするための制御について、図４、図６を用いて説明する。
【００４５】
図４に示すように、制御部１１０は、電圧印加部１４０を制御して、透明電極２２０、２６０間に記録電圧Ｖ１を印加させると、光導電層２３０と積層液晶層３００とによって分圧され、積層液晶層３００に印加される電圧Ｖｂｇは、電圧値Ｖ１Ｌ（ＶＢｆｈ＜Ｖ１Ｌ＜ＶＧｆｈ）となる。この状態において、液晶層２５０Ｂは、ホメオトロピック配向状態となり、液晶層２５０Ｇは、フォーカルコニック配向状態となる。
【００４６】
そして、制御部１１０は、画像情報の緑色成分の情報に応じて、光照射部１３０から青色（緑色でもよい）の記録光を照射すると、光導電層２３０の抵抗が低下し、積層液晶層３００の分圧比が増加する。ここで、記録光の照射は、フィルム基板２１０側から行われる。なお、フィルム基板２７０側から記録光を照射するように光照射部１３０を構成してもよい。
【００４７】
これにより、積層液晶層３００のうち、記録光が照射された領域については、印加される電圧Ｖｂｇが電圧値Ｖ１Ｈ（ＶＧｆｈ＜Ｖ１Ｈ）に増加する。そして、記録電圧Ｖ１の印加を停止すると、液晶の配向状態は、記録光が照射されていない部分は（Ｐ，Ｆ）となり、記録光が照射された部分は液晶層２５０Ｇがプレーナ配向状態となって（Ｐ，Ｐ）となる。なお、画像の記録前にすでに記録されている画像を消去するなどの初期化処理を行ってもよい。
【００４８】
次に、制御部１１０は、電圧印加部１４０を制御して、透明電極２２０、２６０間に記録電圧Ｖ２を印加させると、導電層２３０と積層液晶層３００とによって分圧され、積層液晶層３００に印加される電圧Ｖｂｇは、電圧値Ｖ２Ｌ（Ｖ２Ｌ＜ＶＢｐｈ）となる。この状態において、液晶層２５０Ｂ、２５０Ｇは、それぞれ、上記の配向状態（（Ｐ，Ｆ）、（Ｐ，Ｐ）のいずれか）を保っている。
【００４９】
そして、制御部１１０は、画像情報の青色成分の情報に応じて、光照射部１３０から青色（緑色でもよい）の記録光を照射すると、光導電層２３０の抵抗が低下し、積層液晶層３００の分圧比が増加する。このとき、記録光の照射は、フィルム基板２７０側から行われる。これにより、積層液晶層３００のうち、記録光が照射された領域については、印加される電圧Ｖｂｇが、電圧値Ｖ２Ｈ（ＶＢｐｆ＜Ｖ２Ｈ＜ＶＧｐｆ）に増加して、記録光が照射された部分の液晶層２５０Ｂがフォーカルコニック配向状態となる。すなわち、配向状態が（Ｐ，Ｆ）であった部分のうち、記録光が照射された部分は（Ｆ，Ｆ）となり、（Ｐ，Ｐ）であった部分のうち、記録光が照射された部分は、（Ｆ，Ｐ）となる。一方、記録光が照射されなかった部分は、元の配向状態（（Ｐ，Ｆ）、（Ｐ，Ｐ）のいずれか）となる。そして、記録電圧Ｖ２の印加を停止しても、これらの配向状態は維持される。
【００５０】
図６は、液晶層２５０Ｂ、２５０Ｇの液晶配向状態の変化を示している。上述のように処理することにより、図６に示すように、制御部１１０は、画像情報の緑色成分および青色成分に応じて、光照射部１３０および電圧印加部１４０を制御して、記録電圧Ｖ１の印加中の記録光照射の有無、および記録電圧Ｖ２の印加中の記録光照射の有無によって、液晶層２５０Ｂ、２５０Ｇの配向を（Ｐ，Ｐ）、（Ｐ，Ｆ）、（Ｆ，Ｐ）、（Ｆ，Ｆ）のいずれかの組み合わせとして選択する。
【００５１】
このとき、上述したように、液晶層２５０Ｂのバインダー２５１Ｂには、バインダー２５１Ｂの誘電率よりも低い誘電率を持つ中空粒子２５００が分散されているため、中空粒子２５００が分散されていない状態に比べて、しきい値ＶＢｐｆとしきい値ＶＧｐｆとの差、しきい値ＶＢｆｈとしきい値ＶＧｆｈとの差のそれぞれが大きくなる。したがって、しきい値ＶＢｐｆより高くしきい値ＶＧｐｆより低い範囲に設定される電圧値Ｖ２Ｈ、また、しきい値ＶＢｆｈより高くしきい値ＶＧｆｈより低い範囲に設定される電圧値Ｖ１Ｌの取りうる範囲が広くなり電圧制御が容易となる。
【００５２】
ここで、フィルム基板２７０側から入射した外光のうち、液晶層２５０Ｂ、２５０Ｇにおいて反射せずに透過した光について、上述したように、青色の光および緑色の光は、光導電層２３０において吸収され、赤色の光は、液晶層２５０Ｒにおいて反射するか光導電層２３２において吸収される。なお、光導電層２３０における青色、緑色の光の吸収率が黒色を呈しない程度の低い吸収率である場合には、記録光の光導電層２３０への入射の妨げにならない層、例えば、フィルム基板２１０側から記録光が入射される構成である場合には、光導電層２３０と液晶層２５０Ｇとに挟まれる層に、青色、緑色の光を吸収する光吸収層を設けてもよい。
【００５３】
これにより、液晶層２５０Ｂ、２５０Ｇ、２５０Ｒがすべてフォーカルコニック配向状態の部分は、フィルム基板２７０側からは黒に見えることとなる。その他、液晶層２５０Ｒがプレーナ配向状態であり、液晶層２５０Ｂ、２５０Ｇの配向状態が（Ｐ，Ｐ）であれば白、（Ｐ，Ｆ）であればマゼンタ、（Ｆ，Ｐ）であればイエロー、（Ｆ，Ｆ）であれば赤、液晶層２５０Ｒがフォーカルコニック配向状態であり、液晶層２５０Ｂ、２５０Ｇの配向状態が（Ｐ，Ｐ）であればシアン、（Ｐ，Ｆ）であれば青、（Ｆ，Ｐ）であれば緑に見えることになる。
【００５４】
なお、以上の制御は、第２表示層４２０、第１表示層４００の順序で行っているが、これとは逆に、第１表示層４００、第２表示層４２０の順序で行ってもよい。
【００５５】
以上、本発明の実施形態について説明したが、本発明は以下のように、さまざまな形態で実施可能である。
【００５６】
＜変形例１＞
上述した実施形態においては、液晶層２５０Ｂのバインダー２５１Ｂに中空粒子２５００が分散されていたが、液晶層２５０Ｂと液晶層２５０Ｇの関係を入れ替えて、液晶層２５０Ｇのバインダー２５１Ｇに中空粒子２５００が分散されるようにして、液晶層２５０Ｇに印加される電圧Ｖｇの分圧比が大きくなるようにし、しきい値ＶＧｐｆ、ＶＧｆｈを低下させ、その結果、しきい値ＶＧｐｆはしきい値ＶＢｐｆより低く、しきい値ＶＧｆｈはしきい値ＶＢｆｈより低いものとなればよい。このようにすれば、液晶層２５０Ｂと液晶層２５０Ｇとの各しきい値を入れ替えることができる。
【００５７】
なお、中空粒子２５００が分散されていない状態において、しきい値ＶＧｐｆはしきい値ＶＢｐｆより低い電圧値となり、しきい値ＶＧｆｈはしきい値ＶＢｆｈより低い電圧値となっていることが望ましく、この場合には、中空粒子２５００が分散されたことにより、しきい値ＶＢｐｆとしきい値ＶＧｐｆとの差、しきい値ＶＢｆｈとしきい値ＶＧｆｈとの差のそれぞれが大きくなる。
【００５８】
＜変形例２＞
上述した実施形態において、さらに、液晶２５２Ｂの電気的特性を調整して、抵抗Ｒｂの抵抗値がより大きく、コンデンサＣｂの静電容量がより小さくなるようにしてもよい。また、液晶２５２Ｇの電気的特性を調整して、抵抗Ｒｇの抵抗値がより小さく、コンデンサＣｇの静電容量がより大きくなるようにしてもよい。
【００５９】
＜変形例３＞
上述した実施形態においては、液晶層２５０Ｂ、２５０Ｇ、２５０Ｒは、プレーナ配向状態であるときにおいて、それぞれ反射する色が異なり、互いに異なる波長分布の光を反射するように構成されていたが、異なるものとせず、複数の液晶層の反射、透過の制御により階調を制御するようにしてもよい。
【００６０】
＜変形例４＞
上述した実施形態において、液晶層２５０Ｇのバインダー２５１Ｇに、バインダー２５１Ｇの誘電率よりも高い誘電率の高誘電率部材を分散させることにより、コンデンサＣｇの静電容量を増加させてもよい。これにより、電圧印加部１４０から透明電極２２０、２６０を介して印加される記録電圧の周波数が予め設定された周波数であるときには、液晶層２５０Ｇのインピーダンスは、高誘電率部材が分散されていないときに比べて小さくなる。したがって、しきい値ＶＢｐｆとしきい値ＶＧｐｆとの差、しきい値ＶＢｆｈとしきい値ＶＧｆｈとの差のそれぞれは、実施形態における差に比べてさらに大きくなる。
【００６１】
＜変形例５＞
上述した実施形態においては、光を照射することにより画像を記録していたが、別の構成により画像を記録してもよい。例えば、透明電極２２０、２２２、２６０、２６２を分割して、分割した透明電極の各々に印加する記録電圧を個々に制御できる構成とすればよい。このようにして、分割された各透明電極に印加する記録電圧の電圧値、周波数を個々に制御し、各透明電極間の液晶層の配向状態を変化させて画像を記録してもよい。この場合は光導電層２３０、２３２が無くてもよい。
【００６２】
＜変形例６＞
上述した実施形態における第１表示層４００は、液晶層２５０Ｂ、２５０Ｇの２層を有していたが、いずれか１層、または反射する色がこれらとは異なる１層の液晶層であってもよい。逆に、第２表示層４２０は、液晶層２５０Ｒの１層であったが、反射する色が異なる液晶層がさらに積層されていてもよい。この場合には、光導電層２３０において透過する色を第２表示層４２０における液晶層において反射する色とすればよい。
【符号の説明】
【００６３】
１００…記録装置、１１０…制御部、１２０…操作部、１３０…光照射部、１４０…電圧印加部、１５０…情報取得部、２００…電子ペーパ、２１０，２１２，２７０…フィルム基板，２２０，２２２，２６０，２６２…透明電極、２３０，２３２…光導電層、２５０Ｂ，２５０Ｇ，２５０Ｒ…液晶層、２５１Ｂ，２５１Ｇ，２５１Ｒ…バインダー、２５２Ｂ，２５２Ｇ，２５２Ｒ…液晶、２５００…中空粒子、３００…積層液晶層、４００…第１表示層、４２０…第２表示層
【図１】
2010211128.tif 000003
【図２】
2010211128.tif 000004
【図３】
2010211128.tif 000005
【図４】
2010211128.tif 000006
【図５】
2010211128.tif 000007
【図６】
2010211128.tif 000008